(57)【要約】【課題】従来よりも少ない電力で反射抑制部材を加熱することができる表示ユニット、表示装置および道路情報表示装置を提供する。【解決手段】表示ユニットは、複数の発光素子が実装される実装面を有し、実装面がケースの底壁に対向するようにケースに設けられる回路基板と、ケース内面に接触するように設けられ、通電により発熱する発熱体と、ケース外面に設けられ発光素子が実装される位置に対応して設けられる透光部およびケース外面に接触する接触部を有する反射抑制部材と、を備え、発熱体は、ケース内面であって、ケース外面に接触部が接触する位置に接触するように設けられる。【選択図】図１
2020160301.tif 000002
【特許請求の範囲】
【請求項１】
側壁および透光性を備える底壁を有する箱状のケースと、
複数の発光素子が実装される実装面を有し、前記実装面が前記ケースの前記底壁に対向するように前記ケース内に設けられる回路基板と、
前記ケースの前記底壁を構成する面のうち、前記実装面に対向する面であるケース内面に接触するように設けられ、通電により発熱する発熱体と、
前記ケースの前記底壁を構成する面のうち、前記ケース内面と前記底壁の厚さ方向において反対側に位置するケース外面に設けられ、前記発光素子が実装される位置に対応して設けられる透光部および前記ケース外面に接触する接触部を有する反射抑制部材と、を備え、
前記発熱体は、前記底壁の前記ケース内面であって、前記ケース外面に前記接触部が接触する位置に対応する位置に接触するように設けられる、
表示ユニット。
【請求項２】
前記ケース内面には、溝形状を有するケース溝部が設けられており、
前記発熱体は、前記ケース溝部に接触するように、前記ケース溝部内に収容される
ことを特徴とする請求項１に記載の表示ユニット。
【請求項３】
前記ケース内面には、前記底壁に垂直な方向に突出する一対の保持片が設けられ、
前記発熱体は、前記一対の保持片に挟まれて、前記ケース内面に設けられる
ことを特徴とする請求項１または２に記載の表示ユニット。
【請求項４】
前記ケース外面には、前記底壁に垂直な方向に突出する位置決め突部が設けられ、
前記反射抑制部材の前記接触部には、前記位置決め突部を収容する収容部が設けられる
ことを特徴とする請求項１〜３のいずれか一項に記載の表示ユニット。
【請求項５】
前記反射抑制部材は、前記接続部と、前記壁部に垂直な方向に延びるベース部と、前記ベース部に設けられる庇部とを備え、
前記ベース部は、前記ケースの前記壁部に対向するベース内面と、前記ベース内面と前記ベース部の厚み方向において反対側に位置するベース外面とを有し、
前記庇部は、前記ベース部に垂直な方向に突出するように前記ベース外面に設けられ、
前記接続部は、前記ベース内面であって、前記ベース外面に前記庇部が設けられた位置に対応する位置に設けられる
ことを特徴とする請求項１〜４のいずれか１項に記載の表示ユニット。
【請求項６】
請求項１〜５のいずれか１項に記載の表示ユニットを複数備える表示装置。
【請求項７】
請求項１〜５のいずれか１項に記載の表示ユニットを複数備える道路情報表示装置。
【発明の詳細な説明】
【技術分野】
【０００１】
本発明は、表示ユニット、表示装置および道路情報表示装置に関する。
【背景技術】
【０００２】
表示装置および道路情報表示装置は、複数の表示ユニットをマトリクス状に配置して構成される。各表示ユニットは、回路基板と、回路基板に実装された複数の発光素子と、回路基板を雨水等から保護する防水ケースを有する。防水ケースには、回路基板への外光の入射を抑制する反射抑制部材が設けられている。
【０００３】
このような表示装置では、降雪時、反射抑制部材に雪が積もり、発光素子からの出射光が遮られるおそれがある。そこで、近年、通電により発熱する発熱体を備える表示ユニットが開発されている。例えば、特許文献１には、防水ケース内に発熱体を配置し、この発熱体が発生する熱によって反射抑制部材に付着する雪を溶解する表示ユニットが開示されている。
【先行技術文献】
【特許文献】
【０００４】
【特許文献１】特開２０１６−１２６１５１号公報（段落［００２４］、［００２５］参照）
【発明の概要】
【発明が解決しようとする課題】
【０００５】
このような表示装置では、電力消費量を低減するため、反射抑制部材に効率よく熱を伝えることが求められる。
しかしながら、特許文献１の表示ユニットは、発熱体と反射抑制部材の間に空気層が介在するため、空気層が介在しない場合と比較して、発熱体から反射抑制部材に熱が伝導されにくい。このため、発熱体の消費電力量が増加してしまう。
【０００６】
本発明は上述のような課題を解決するためになされたもので、従来よりも少ない消費電力で反射抑制部材に付着した雪を融解することができる表示ユニット、表示装置および道路情報表示装置を得ることを目的とする。
【課題を解決するための手段】
【０００７】
本発明にかかる表示ユニットは、側壁と透光性を備える底壁を有する箱状のケースと、複数の発光素子が実装される実装面を有し、実装面がケースの底壁に対向するようにケース内に設けられる回路基板と、ケースの底壁を構成する面のうち、実装面に対向する面であるケース内面に接触するように設けられ、通電により発熱する発熱体と、ケースの底壁を構成する面のうち、ケース内面と底壁の厚さ方向において反対側に位置するケース外面に設けられ、発光素子が実装される位置に対応して設けられる透光部およびケース外面に接触する接触部を有する反射抑制部材と、を備え、発熱体は、底壁の前記ケース内面であって、ケース外面に接触部が接触する位置に接触するように設けられるものである。
【発明の効果】
【０００８】
本発明の表示ユニットによれば、発熱体の熱は、ケースに直接伝導された後、ケースを通じて反射抑制部材に伝導される。このため、発熱体の熱を、空気層を介して反射抑制部材に伝導していた従来の表示ユニットよりも効率よく反射抑制部材を加熱することができる。したがって、従来よりも少ない消費電力で、反射抑制部材に付着した雪を融解することができる。
【図面の簡単な説明】
【０００９】
【図１】本発明の実施の形態１にかかる表示装置の斜視図。
【図２】本発明の実施の形態１にかかる支持筐体の斜視図。
【図３】本発明の実施の形態１にかかる表示ユニットの正面図。
【図４】図３のＡ−Ａ線断面図。
【図５】本発明の実施の形態１にかかる防水ケースの裏面図。
【図６】本発明の実施の形態１にかかる表示装置の構成を示すブロック図。
【図７】本発明の実施の形態２にかかる表示ユニットの図４に相当する断面図。
【図８】本発明の実施の形態２にかかる防水ケースの裏面図。
【図９】本発明の実施の形態３にかかる表示ユニットの図４に相当する断面図。
【図１０】その他の実施の形態にかかる表示ユニットの図４に相当する断面図。
【図１１】その他の実施の形態にかかる表示ユニットの図４に相当する断面図。
【図１２】その他の実施の形態にかかる表示ユニットの図４に相当する断面図。
【図１３】その他の実施の形態にかかる表示ユニットの図４に相当する断面図。
【図１４】その他の実施の形態にかかる防水ケースの裏面図。
【発明を実施するための形態】
【００１０】
本発明を実施するための形態について添付の図面を参照しながら説明する。なお、各図中、同一または相当する部分には同一の符号を付しており、その重複説明は適宜に簡略化ないし省略する。また説明の便宜上、各図中に示す部分のサイズ、形状の比例関係等が誇張されている場合がある。
【００１１】
（実施の形態１）
図１〜図６を参照しながら、本発明の実施の形態１にかかる表示ユニット１０および表示装置１００について説明する。
図１に、本発明の実施の形態１にかかる表示装置１００の斜視図を示す。図１に示すように、実施の形態１にかかる表示装置１００は、画像を表示する複数の表示ユニット１０をマトリクス状に配列して構成される。表示装置１００において画像が表示される面を表示面１０１とする。
【００１２】
表示装置１００は、高速道路または一般道路に設置されて注意喚起情報または各種の道路情報等を表示する道路情報表示装置として使用されることが好ましいが、道路情報表示装置以外の画像表示装置として野外スタジアム等に設置することもできる。
【００１３】
各表示ユニット１０は、各表示ユニット１０において画像が表示される面である画像表示面１１が、表示装置１００の正面を向くように、表示面１０１に沿ってマトリクス状に敷き詰められ、支持筐体２００にネジ止め等により固定されている。これにより、表示装置１００および表示装置１００の表示面１０１が構成される。
【００１４】
図２に、本実施の形態１にかかる支持筐体２００の斜視図を示す。支持筐体２００は、防水加工が施された箱状の筐体であり、各表示ユニット１０が取り付けられる部分に対応して開口部２０１を有する。開口部２０１の周囲にはユニット用パッキン２０２が設けられている。表示ユニット１０は、ユニット用パッキン２０２に押圧されて支持筐体２００に取り付けられる。支持筐体２００と表示ユニット１０の間にユニット用パッキン２０２が介在することとなるため、雨水等が、支持筐体２００と表示ユニット１０との間から支持筐体２００内に浸入することを抑制することができる。
【００１５】
図３は、本実施の形態１にかかる表示ユニット１０を正面から見た正面図を示し、図４は図３のＡ−Ａ線断面図を示す。
【００１６】
図３および図４に示すように、表示ユニット１０は、回路基板２０を収容する収容ケース８０と、収容ケース８０を覆う防水ケース４０と、回路基板２０の実装面２２に実装された複数の発光素子３０を備える。回路基板２０に実装された複数の発光素子３０全体で画像が表示され、各発光素子３０は、画像を構成する画素となる。
【００１７】
回路基板２０は絶縁性の樹脂材料、ガラス材料、またはセラミック材料等から作成される。発光素子３０は、Ｒ（赤色）、Ｇ（緑色）およびＢ（青色）のＬＥＤチップを内蔵する３ｉｎ１型の表面実装型ＬＥＤ素子であり、回路基板２０の実装面２２にマトリクス状に実装される。例えば、図３に示すように７列×７列に配列するように実装される。
【００１８】
収容ケース８０は、表示ユニット１０の画像表示面１１側に設けられた画像表示開口８２と、画像表示開口８２とは収容ケース８０の厚み方向において反対側に設けられた配線開口８３を有する筐体であり、ポリカーボネート樹脂またはアクリル樹脂等の樹脂材料から作成される。収容ケース８０には回路基板２０が収容されており、回路基板２０は、収容ケース８０に収容された状態で実装面２２が画像表示面１１を向くように、防水ケース４０内に設けられる。
【００１９】
収容ケース８０には、画像表示開口８２を覆うように防水ケース４０が設けられている。防水ケース４０は、透光性を有する透明樹脂材料を射出成型して作成される。防水ケース４０を作成する透明樹脂材料としては、例えば、ポリカーボネート樹脂またはアクリル樹脂等の透明樹脂が挙げられる。なお、防水ケース４０は、透光性を有する材料で作成されていればよく、透明のシリコーンまたは透明のガラス等を用いて作成してもよい。
【００２０】
収容ケース８０の周囲にはケース用パッキン８１が設けられている。ケース用パッキン８１は、収容ケース８０の全周にわたって設けられており、収容ケース８０と防水ケース４０の間から表示ユニット１０の内部に雨水等が浸入することを抑制する。
【００２１】
防水ケース４０は、底壁４１と、底壁４１に垂直に設けられた側壁４２を有する。底壁４１は、回路基板２０に対向する面であるケース内面４１ａと、ケース内面４１ａとは底壁４１の厚み方向において反対側に位置するケース外面４１ｂを有する。ケース外面４１ｂには、ルーバ５０（特許請求の範囲における「反射抑制部材」に相当）と、複数の集光レンズ４９が設けられている。
【００２２】
集光レンズ４９は、発光素子３０が設けられた位置に対応する位置に設けられている。集光レンズ４９は、各発光素子３０からの出射光の正面輝度を向上させることを目的として設けられたものであり、発光素子３０から出射された光を集約して外部へ出射する。ポリカーボネート樹脂またはアクリル樹脂等の透明樹脂を用いて作成することもできるし、透明のシリコーンまたは透明のガラスを用いて作成してもよい。また、集光レンズ４９は、防水ケース４０と一体として作成してもよいし、防水ケース４０とは別体として作成した後、ケース外面４１ｂに取り付けてもよい。
【００２３】
ルーバ５０は、黒色の樹脂材料を射出成型して作成されており、複数の透光部５４が設けられたベース部５１を備えている。ベース部５１には、透光部５４に加えて、複数の庇部５２と、複数の接続部５３が設けられている。ルーバ５０を作成する樹脂材料としては、ポリカーボネート樹脂またはアクリル樹脂等が挙げられるが、これに限られるものではない。
【００２４】
ルーバ５０のベース部５１は、底壁４１と平行な面に沿って延びるように構成される。また、ベース部５１は、防水ケース４０の底壁４１に対向するベース内面５１ａと、ベース内面５１ａとベース部５１の厚み方向において反対側に位置するベース外面５１ｂを含む。
【００２５】
ベース外面５１ｂには、ベース部５１に垂直な方向に突出する庇部５２が複数設けられている。図３に示すように、各庇部５２は、発光素子３０の間に位置するように設けられ、いずれも水平方向に延びるように設けられている。
【００２６】
ベース内面５１ａには、ベース部５１に垂直な方向に突出する接続部５３が複数設けられている。接続部５３は、ケース外面４１ｂに接触しており、ネジ止め等によりケース外面４１ｂに固定されている。また、接続部５３は、ベース内面５１ａであって、ベース外面５１ｂに庇部５２が設けられる位置に設けられている。
【００２７】
ベース外面５１ｂは、黒色塗料にて黒色塗装が施されている。黒色塗料は特に限定されないが、艶消しの黒色塗料が好ましい。また、外光の反射を効率よく抑制するため、ベース外面５１ｂには、図３に示すように複数の溝部が設けられていてもよい。または、ベース外面５１ｂにシボ加工が施されていてもよい。
【００２８】
ベース部５１には、複数の透光部５４が設けられている。透光部５４は、発光素子３０が実装される位置に対応して設けられる矩形状の開口部である。なお、透光部５４の形状は矩形状に限られるものではなく、円形状または楕円形状であってもよい。また、透光部５４は、透光性を有しているものであればよく、透明部材を有するものとしてもよい。
【００２９】
また、防水ケース４０には、溝形状を有するケース溝部４３が設けられている。ケース溝部４３は、平面状の内面を有し、ケース内面４１ａ側が開口するように設けられている。ケース溝部４３には、発熱体７１が収容されている。
【００３０】
図５に、本実施の形態１にかかる防水ケース４０の裏面図を示す。図５では、ケース外面４１ｂにおいて、ルーバ５０の接続部５３が接触する位置と、集光レンズ４９が設けられる位置とを一点鎖線で示している。
図５に示すように、ケース溝部４３は、防水ケース４０のケース内面４１ａであって、ケース外面４１ｂに接続部５３が接触する位置に設けられており、接続部５３が延びる方向と同じ方向に延びように構成されている。
【００３１】
発熱体７１は、ニクロム等の電熱性導電金属を有する電熱線を備える。発熱体７１は、電熱性導電金属をエナメルまたはフッ素樹脂にて被覆して構成してもよいし、電熱性導電金属のみから構成されてもよい。また、発熱体７１は、一端部が回路基板２０を貫通して、回路基板２０の実装面２２の反対側に設けられたコネクタ２９に接続している。
【００３２】
このように構成された表示ユニット１０によれば、発熱体７１から底壁４１に伝わった熱は、接続部５３に伝わる。その後、ルーバ５０内を通って庇部５２に到達する。これにより、庇部５２は加熱され、庇部５２に付着した雪は融解される。
【００３３】
なお、本実施の形態１では、接続部５３を３列に配列するように設けた例を開示しているが、接続部５３の配列数は３列に限るものではなく、任意に変更することができる。
【００３４】
次に、図６を参照しながら、表示装置１００の構成について説明する。図６に示すように、表示装置１００は、外部から入力された電力を各表示ユニット１０の発光素子３０にそれぞれ供給する第１電源回路９１、外部から入力された電力を各表示ユニット１０の発熱体７１にそれぞれ供給する第２電源回路９２、各種制御を実行する制御装置９０、および制御装置９０に接続され、外気温データを検出して制御装置９０に出力する外気温センサ９３を含んで構成される。
【００３５】
さらに、制御装置９０には、外部指示器１１０が接続されている。外部指示器１１０は、制御装置９０に対して、表示すべき画像を指示する表示指示信号を出力する。外部指示器１１０は、表示装置１００に指令を出す指令室等に設置されている。
【００３６】
制御装置９０は、発光素子３０の駆動制御および発熱体７１への電力供給制御を含む各種制御を実行する。
制御装置９０は、発光素子３０の駆動制御においては、まず、外部指示器１１０から供給された表示指示信号に各種変換処理を施す。次に、変換した表示指示信号に基づき、発光素子３０を制御するためのＰＷＭ信号を生成し、各表示ユニット１０の駆動回路２８に出力する。ここで、制御装置９０が行う各種変換処理は、表示装置１００のスクリーンサイズにあわせた画像の拡大／縮小処理、高画質化処理等を含む。
【００３７】
第１電源回路９１は、ＡＣ／ＤＣ変換回路を備える。ＡＣ／ＤＣ変換回路は、外部から入力される一定の電圧の交流電流を直流電流に変換し、制御装置９０および各表示ユニット１０の駆動回路２８にそれぞれ出力する。
駆動回路２８は、第１電源回路９１から供給される直流の電圧を発光素子３０に適した電圧に変換し、制御装置９０から入力されるＰＷＭ信号に応じて定められる発光時間に制御して、発光素子３０に出力する。発光素子３０は、駆動回路２８から供給される電力を受けて発光する。
【００３８】
第２電源回路９２は、ＡＣ／ＡＣ変換回路とスイッチ回路９４とを備える。ＡＣ／ＡＣ変換路は、外部から入力される一定の電圧の交流電流を、発熱体７１に適した電圧の交流電流に変換する。各表示ユニット１０に設けられた発熱体７１は、各表示ユニット１０に設けられたコネクタ２９を通じて第２電源回路９２にそれぞれ接続されており、第２電源回路９２から供給される電力を受けて発熱する。
【００３９】
スイッチ回路９４は、制御装置９０に接続されており、制御装置９０からの出力に基づいて、第２電源回路９２からの導電状態を制御する。スイッチ回路９４により第２電源回路９２が導電状態（オン）になると、発熱体７１に適した電圧に変換された交流電流が、表示ユニット１０の発熱体７１に出力される。スイッチ回路９４により第２電源回路９２が非導電状態（オフ）になると、第２電源回路９２から表示ユニット１０の発熱体７１への交流電流の供給は遮断される。
【００４０】
制御装置９０は、外気温センサ９３からの出力値に基づいて、発熱体７１への交流電流の導電状態を制御する。例えば、外気温センサ９３の出力値に基づき、外気温度が予め定めた設定温度α未満であると判断する場合、第２電源回路９２を導電状態とすることができる。一方、外気温センサ９３の出力値に基づき、外気温度が設定温度α以上であると判断する場合、第２電源回路９２を非導電状態とすることができる。
【００４１】
設定温度αは、降雪があったと仮定する場合、ルーバ５０に付着した雪が融解することなく留まり続ける程度に低い温度に設定することが好ましい。例えば、３℃または５℃に設定することができるが、これらに限られるものではない。
【００４２】
上述した本実施の形態１によれば、以下に示す効果を奏することができる。
（１）発熱体７１が防水ケース４０に接触して設けられているため、発熱体７１の熱を、空気層を介することなくルーバ５０に伝導することができる。このため、従来よりも少ない電力でルーバ５０を加熱し、ルーバ５０に付着した雪を融解することができる。
【００４３】
（２）発熱体７１が、ケース内面４１ａであって、ケース外面４１ｂに接続部５３が設けられた位置に設けられるため、ケース外面４１ｂに接続部５３が設けられた位置とずれた位置に設けた場合よりも、接続部５３と発熱体７１の距離が近くなり、発熱体７１から防水ケース４０に伝導された熱が、ルーバ５０に伝導しやすくなる。したがって、庇部５２に付着した雪をより好適に融解することができる。
【００４４】
（３）発熱体７１が、庇部５２と等しい水平方向に延びるように設けられているため、発熱体７１が庇部５２とは異なる方向に延びるように設けられる場合と比較して、庇部５２における水平方向の温度ばらつきの発生を低減することができる。
【００４５】
（４）防水ケース４０にケース溝部４３を設け、発熱体７１をケース溝部４３に収容するため、防水ケース４０にケース溝部４３を設けない場合よりも、発熱体７１と接続部５３の距離を短くすることができる。このため、発熱体７１から防水ケース４０に伝導された熱を、より効率よく接続部５３に伝導することができる。
【００４６】
（５）庇部５２は、ベース部５１よりも雪が付着しやすい。本実施の形態１によれば、接続部５３が、ベース内面５１ａであって、ベース外面５１ｂに庇部５２が設けられている位置に設けられているため、接続部５３がベース内面５１ａであってベース外面５１ｂに庇部５２が設けられている位置とずれた位置に設けられた場合よりも、接続部５３と庇部５２の距離が近くなる。このため、接続部５３からベース部５１に伝導された熱が、庇部５２に伝導しやすい。したがって、庇部５２に付着した雪をより好適に融解することができる。
【００４７】
（実施の形態２）
本発明の実施の形態２の表示ユニット１０と表示装置１００について、先の図１、図２、図３および図６の他、更に図７および図８を併せ参照して説明する。なお、特に断りの無い場合、同一符号は同一の構成を示すことにより詳細な説明を適宜割愛する。
【００４８】
図７および図８に示すように、実施の形態２にかかる防水ケース４０では、ケース内面４１ａに、保持部４５が設けられている。保持部４５は、ケース溝部４３と、ケース溝部４３の外縁に沿って延びる一対の保持片４６ａ，４６ｂを有する。また保持部４５は、ケース内面４１ａであって、ケース外面４１ｂに接続部５３が設けられる位置に対応する位置に設けられている。
【００４９】
図８に示すように、保持片４６ａ，４６ｂは、互いに平行に延びている。また、保持片４６ａ，４６ｂは、接続部５３が延びる方向と同じ方向に延びている。さらに、保持部４５には、ケース内面４１ａに接触するように、発熱体７１が挟み込まれている。
【００５０】
保持片４６ａ，４６ｂは、防水ケース４０を射出成型によって作成する際、防水ケース４０と一体として作成してもよいし、防水ケース４０と別体として作成した後、ケース外面４１ｂに取り付けてもよい。
【００５１】
上述した本実施の形態２によれば、上記実施の形態１にて説明した効果（１）〜（５）に加え、以下に示す効果を奏することができる。
【００５２】
（６）本実施の形態２では、保持片４６ａ，４６ｂの間に発熱体７１を挟み込むことで、発熱体７１を防水ケース４０に接触させた状態を維持することができる。このため、発熱体７１の防水ケース４０への取り付け作業を簡易なものとすることができる。
【００５３】
（実施の形態３）
本発明の実施の形態３の表示ユニット１０と表示装置１００について、先の図１、図２、図３および図６の他、更に図９を併せ参照して説明する。なお、特に断りの無い場合、同一符号は同一の構成を示すことにより詳細な説明を適宜割愛する。
【００５４】
図９に示すように、本実施の形態３にかかる表示ユニット１０では、防水ケース４０のケース外面４１ｂに位置決め突部４７が設けられている。位置決め突部４７は、底壁４１に垂直な方向に突出し、ルーバ５０の接続部５３と平行に延びるように構成されている。また、位置決め突部４７の外面は、平面状となるように構成されている。
【００５５】
位置決め突部４７は、防水ケース４０を射出成型によって作成する際、防水ケース４０と一体として作成してもよいし、防水ケース４０と別体として作成した後、ケース外面４１ｂに取り付けてもよい。
【００５６】
また、本実施の形態３における接続部５３には、位置決め突部４７を収容可能な収容部５５が設けられている。収容部５５は、位置決め突部４７と同じ方向に延びるように構成されており、位置決め突部４７は収容部５５に収容されている。
【００５７】
上述した本実施の形態３によれば、上記実施の形態１にて説明した効果（１）〜（５）に加え、以下に示す効果を奏することができる。
【００５８】
（７）従来は、ルーバ５０を防水ケース４０に取り付ける際、ルーバ５０を正しい位置に取り付けるための位置合わせ作業が必要であった。この点、本実施の形態３では、ケース外面４１ｂの位置決め突部４７に収容部５５をはめ込むことで、ルーバ５０を防水ケース４０に取り付けることができるため、位置合わせ作業が不要となり、従来よりも容易に表示ユニット１０を作成することができる。
【００５９】
（その他の実施の形態）
・表示装置１００に、積雪の有無を検出することができる積雪センサを設けることもできる。この場合、制御装置９０は、積雪センサの出力に基づき、表示装置１００に着雪が発生していると判断される場合、第２電源回路９２を導電状態とし、表示装置１００に着雪は発生していないと判断される場合は、第２電源回路９２を非導電状態とすることができる。
【００６０】
・上記実施の形態２では、一対の保持片４６ａ，４６ｂを、ケース溝部４３の外縁に沿って延びるように構成したが、本発明はこれに限られるものではない。例えば、図１０に示すように、ケース内面４１ａに一対の保持片４６ａ，４６ｂを設け、ケース溝部４３を省略してもよい。
【００６１】
・図１１に示すように、シリコーン樹脂またはエポキシ樹脂等からなる接着剤を用いて、ケース内面４１ａに発熱体７１を固定してもよい。
【００６２】
・図１２に示すように、収容ケース８０として、配線開口８３を小さくした収容ケース８０を適用してもよい。この場合、配線開口８３の周囲を防水パッキンで囲む等、配線開口８３を通じて表示ユニット１０内部に雨水等が浸入することを抑制する防水加工を施すことが好ましい。本変形例によれば、支持筐体２００に防水性を付与する必要がないため、支持筐体２００の構造を簡素化することができ、コストを低減することができる。
【００６３】
・上記各実施の形態では、ケース溝部４３の内面を平面状に構成したが、本発明はこれに限られるものではなく、図１３に示すように、ケース溝部４３の内面を曲面状としてもよい。同様に、上記実施の形態３では、位置決め突部４７の外面と、収容部５５の内面を平面状に構成したが、同図１３に示すように位置決め突部４７の外面と、収容部５５の内面を曲面状に構成することもできる。
【００６４】
・上記各実施の形態では、接続部５３は水平方向に延びるように構成したが、本発明における接続部５３は、水平方向に延びるものでなくてもよい。例えば、図１４に示すように、水平方向に短いものであってもよい。
【００６５】
・上記実施の形態１〜３において、発熱体７１の周囲にシリコーン樹脂またはエポキシ樹脂等からなる接着剤を充填し、発熱体７１をケース溝部４３または一対の保持片４６ａ，４６ｂの間に固定することもできる。
【００６６】
・上記各実施の形態では、発熱体７１を、金属線を有するものとしたが、本発明における発熱体７１は通電によって発熱するものであればよく、例えば、電熱性を有する金属酸化物を樹脂部材に混練し、ケース内面４１ａに印刷したものであってもよい。
【００６７】
・発熱体７１を、金属線のみから構成されるようにしてもよいし、電気的な絶縁性を保つため、エナメルまたはフッ素樹脂等にて被覆したものとしてもよい。
【００６８】
・制御装置９０は、外気温度が設定温度α未満であると判断する場合、第２電源回路９２を導電状態とし、設定温度α以上であると判断する場合、第２電源回路９２を非導電状態とするようにしたが、本発明はこれに限られるものではない。第２電源回路９２を非導電状態から導電状態に切り替える条件を、外気温度が設定温度α未満であることとし、導電状態から非導電状態に切り替える条件を、外気温度が設定温度β以上であることとしてもよい。設定温度βは設定温度αとは異なる値であればよいが、設定温度αより高い値であることが好ましい。本変形例によれば、ハンチングの発生を抑制することができる。
【００６９】
・上記各実施の形態および各変形例では、第２電源回路９２は、ＡＣ／ＡＣ変換回路を備えるものとしたが、本発明はこれに限られるものではなく、ＡＣ／ＤＣ回路を備えるものとし、発熱体７１はＤＣ電源で駆動するものとしてもよい。
【００７０】
・上記各実施の形態および上記各変形例では、防水ケース４０は、ポリカーボネート樹脂またはアクリル樹脂等の樹脂材料から作成するようにしたが、本発明はこれに限られるものではなく、防水ケース４０をアルミニウム合金またはマグネシウム合金等の金属材料から作成してもよい。
【００７１】
・上記実施の形態１では、ユニット用パッキン２０２を支持筐体２００に設けたが、本発明はこれに限られるものではなく、ユニット用パッキン２０２を表示ユニット１０に設けてもよい。
【符号の説明】
【００７２】
１０  表示ユニット、１１  画像表示面、２０  回路基板、２２  実装面、２８  駆動回路、２９  コネクタ、３０  発光素子、４０  防水ケース、４１  底壁、４１ａ  ケース内面、４１ｂ  ケース外面、４２  側壁、４３  ケース溝部、４５  保持部、４６ａ  保持片、４６ｂ  保持片、４７  位置決め突部、４９  集光レンズ、５０  ルーバ、５１  ベース部、５１ａ  ベース内面、５１ｂ  ベース外面、５２  庇部、５３  接続部、５４  透光部、５５  収容部、７１  発熱体、８０  収容ケース、８１  ケース用パッキン、８２  画像表示開口、８３  配線開口、９０  制御装置、９１  第１電源回路、９２  第２電源回路、９３  外気温センサ、９４  スイッチ回路、１００  表示装置、１０１  表示面、１１０  外部指示器、２００  支持筐体、２０１  開口部、２０２  ユニット用パッキン。
【図１】
2020160301.tif 000003
【図２】
2020160301.tif 000004
【図３】
2020160301.tif 000005
【図４】
2020160301.tif 000006
【図５】
2020160301.tif 000007
【図６】
2020160301.tif 000008
【図７】
2020160301.tif 000009
【図８】
2020160301.tif 000010
【図９】
2020160301.tif 000011
【図１０】
2020160301.tif 000012
【図１１】
2020160301.tif 000013
【図１２】
2020160301.tif 000014
【図１３】
2020160301.tif 000015
【図１４】
2020160301.tif 000016